(57)【特許請求の範囲】
【請求項１】
筐体の出入口から出入し、ディスクが載置されるトレイ部と、該トレイ部の進出方向の端部に固定されたホルダと、該ホルダに保持され、前記トレイ部が前記筐体内に退入した場合に前記出入口を塞ぐ板状のトレイカバーとを備えるディスク装置において、
前記ホルダ及び前記トレイカバーの間に介在する直線状のバネ部材を備え、
前記トレイカバーは、該トレイカバーの裏面に突設され、前記バネ部材を係合させる係合突部を有し、
前記ホルダは、
前記係合突部を挿通させる開口部が形成され、前記トレイカバーに対向配置される壁部と、
前記壁部を間にして前記トレイカバーとは反対側に設けられ、前記バネ部材を固定するバネ固定部と
を有し、
前記バネ部材は、前記壁部に沿って配され、前記バネ固定部に固定されると共に、前記開口部を挿通した前記係合突部に係合され、前記トレイカバーを前記ホルダ側へ付勢するようにしてあり、
前記係合突部には、前記開口部への挿通方向に交差する方向に長い平板部が設けられており、
前記ホルダの前記壁部には、前記開口部の周縁部分に延設され、前記開口部に挿通された前記係合突部の前記平板部に対向する舌片状の対向部が設けられていること
を特徴とするディスク装置。
【請求項２】
前記バネ部材の付勢力を調整する調整手段を更に備えること
を特徴とする請求項１に記載のディスク装置。
【請求項３】
前記調整手段は、前記係合突部に設けられ、前記バネ部材との係合位置を変更可能にしてあること
を特徴とする請求項２に記載のディスク装置。
【請求項４】
前記係合突部には、前記バネ部材と係合する複数の係合部が設けられていること
を特徴とする請求項３に記載のディスク装置。
【請求項５】
前記係合突部には凹所が形成してあり、
該凹所内に移動可能に収容され、ねじ穴が形成された移動部と、
該移動部のねじ穴に螺合されたねじと
を備え、
前記移動部に前記バネ部材と係合する係合部が設けられていること
を特徴とする請求項３に記載のディスク装置。
【請求項６】
前記調整手段は、前記ホルダに設けられ、前記バネ固定部による前記バネ部材の固定位置を変更可能にしてあること
を特徴とする請求項２から請求項５までのいずれか１つに記載のディスク装置。
【請求項７】
前記ホルダには、前記バネ固定部が複数設けられていること
を特徴とする請求項６に記載のディスク装置。
【請求項８】
前記ホルダには凹所が形成してあり、
該凹所内に移動可能に収容され、ねじ穴が形成された移動部と、
該移動部のねじ穴に螺合されたねじと
を備え、
前記バネ固定部は、前記移動部に設けてあること
を特徴とする請求項６に記載のディスク装置。
【請求項９】
前記ホルダに設けられ、前記バネ部材の前記係合突部による係合位置及び前記バネ固定部による固定位置の間にて、前記バネ部材に当接する当接部を更に備えること
を特徴とする請求項１から請求項８までのいずれか１つに記載のディスク装置。
【請求項１０】
前記バネ部材には巻回部分が設けられており、
前記バネ固定部は、
前記バネ部材の巻回部分を挿通する挿通部と、
該挿通部に連ねて設けられ、前記バネ部材の前記挿通部への挿通方向の移動を係止する係止部と
を有すること
を特徴とする請求項１から請求項９までのいずれか１つに記載のディスク装置。
【請求項１１】
前記係合突部は、前記トレイカバーに２つ設けられ、
前記バネ部材は、
中央側にて前記バネ固定部に固定され、
両端側にて２つの前記係合突部に係合するようにしてあること
を特徴とする請求項１から請求項１０までのいずれか１つに記載のディスク装置。
【請求項１２】
前記トレイカバーの裏面に突設されたトレイ側リブと、
前記筐体に設けられ、前記トレイ部が前記筐体内に退入した場合に、前記トレイカバーの裏面に対向する壁部と、
該壁部に突設された筐体側リブと
を備え、
前記トレイ部が前記筐体内に退入した場合に、前記トレイ側リブ及び前記筐体側リブが隣り合うようにしてあること
を特徴とする請求項１から請求項１１までのいずれか１つに記載のディスク装置。
【請求項１３】
前記トレイ側リブは、前記トレイカバーの裏面縁部分の一周に亘って環状に設けてあり、
前記壁部は、前記トレイ部が挿通する開口が形成してあり、
前記筐体側リブは、前記開口を囲んで環状に設けてあり、
前記トレイ部が前記筐体内に退入した場合に、前記筐体側リブが前記トレイ側リブ内に収まるようにしてあること
を特徴とする請求項１２に記載のディスク装置。
【請求項１４】
前記トレイカバーの裏面に突設された可撓性を有するリブと、
前記筐体に設けられ、前記トレイ部が前記筐体内に退入した場合に、前記トレイカバーの裏面に対向する壁部と
を備え、
前記トレイ部が前記筐体内に退入した場合に、前記リブが前記壁部に当接するようにしてあること
を特徴とする請求項１から請求項１１までのいずれか１つに記載のディスク装置。
【発明の詳細な説明】
【技術分野】
【０００１】
本発明は、例えばＤＶＤ（Digital Versatile Disk）又はブルーレイディスク等のディスク状記録媒体（以下、単にディスクという）に対するデータの読み出し及び／又は書き込み等を行うディスク装置に関し、詳しくはディスクを載置するトレイが装置の筐体から出入する構成のディスク装置に関する。
【背景技術】
【０００２】
従来、ＤＶＤ又はブルーレイディスク等のディスクが記録媒体として広く普及している。ディスクに対するデータの読み出し及び／又は書き込みを行うディスク装置は、ディスクの装着構造に関して種々のものが存在する。これらの中で、ディスクを載置するトレイが装置の筐体から出入する構造が、例えば液晶テレビなどに接続されて、映画などの映像を再生するディスクプレーヤ又はテレビ番組を録画するディスクレコーダ等のディスク装置に広く採用されている。
【０００３】
トレイが筐体から出入する構成のディスク装置では、筐体内への塵埃の侵入防止及び装置内の騒音の漏洩防止等のために、トレイが筐体内に収納された状態においては、トレイを出入するために筐体に設けられた出入口を閉塞することが好ましい。このためトレイの端部には、筐体の出入口を閉塞するためのカバー（トレイカバー）が設けられる。トレイの端部に設けられるトレイカバーは、ディスク装置の筐体の出入口を確実に閉塞するため、上下左右方向（トレイの出入方向に直交する平面方向）に移動可能な構成とすることが求められる。このため従来のディスク装置では、トレイ及びトレイカバーの間にトレイホルダを介在させ、トレイカバーをコイルバネによってトレイホルダに付勢して取り付け、コイルバネの変形に伴ってトレイカバーが移動する構成としていた。
【０００４】
また、特許文献１においては、トレイ本体に対してトレイカバーを板バネのバネ力により上下方向及び左右方向に揺動可能に支持することによって、トレイカバーがフロントパネルのディスク出入口を確実に密閉することができるディスク記録再生装置が提案されている。このディスク記録再生装置は、ディスクプレーヤ本体のフロントパネルのトレイ出入口から排出位置及び収納位置に移動可能としたトレイ本体に、トレイ本体が収納位置に引き込まれたときトレイ出入口を閉止するトレイカバーを備えている。トレイカバーは、トレイ本体に保持されるトレイカバー中枠と、トレイカバー中枠に対した板バネを介して上下方向及び左右方向へ揺動可能に支持されるトレイカバー外装パネルとから構成されている。
【０００５】
特許文献２においては、光ディスク用のトレー体を装置本体の開口部に挿通させて収納及び突出の位置を取らせる記録再生装置において、トレー体の前部に蓋体を配設し、この蓋体に装置本体の開口部を間隙が生じないように閉塞させる構成が提案されている。この記録再生装置では、トレー体に固定されるベース板に対して蓋体を弦巻バネによって付勢して、ベース板を介してトレー体に蓋体を連結する。蓋体がトレー体に対して所定の位置を取るためのガイドとして、ベース板に形成された通孔と、蓋体に設けられ、弦巻バネで付勢されて通孔に挿入される突出部材とを記録再生装置は備えている。また蓋体が所定の位置で開口部を閉塞するためのガイドとして、装置本体に設けられたガイド片と、このガイド片に係合する蓋体の内側壁とを記録再生装置は備えている。
【先行技術文献】
【特許文献】
【０００６】
【特許文献１】特開２００２−３５８７７０号公報
【特許文献２】特開２００９−００４０５１号公報
【発明の概要】
【発明が解決しようとする課題】
【０００７】
しかしながら、金属線を筒状に巻回させた形状のコイルバネを用いた構成の従来のディスク装置では、コイルバネがトレイカバーに垂直な方向に設けられるため、トレイカバー及びトレイホルダの部分の奥行き方向（トレイの出入方向）に関する長さ（厚み）が大きいという問題があった。弦巻バネを用いる特許文献２に記載の記録再生装置についても同様である。また、特許文献１に記載のディスク記録再生装置のように幅広の板バネを介してトレイカバーが支持される構成では、トレイカバーの上下方向への揺動を柔軟に行うことができないという問題がある。更に、このような構成のディスク装置では、トレイカバー及びトレイホルダの組立容易性を向上すること、並びに、トレイカバーがトレイホルダ又はトレイから外れ難いことなどが求められる。
【０００８】
本発明は、斯かる事情に鑑みてなされたものであって、その目的とするところは、トレイ端部のトレイカバー及びトレイホルダの厚みを薄くすることができ、トレイカバーを柔軟に揺動することができ、トレイカバー及びトレイホルダの組み立てを容易に行うことができ、且つ、トレイカバーが外れ難い構成のディスク装置を提供することにある。
【課題を解決するための手段】
【０００９】
本発明に係るディスク装置は、筐体の出入口から出入し、ディスクが載置されるトレイ部と、該トレイ部の進出方向の端部に固定されたホルダと、該ホルダに保持され、前記トレイ部が前記筐体内に退入した場合に前記出入口を塞ぐ板状のトレイカバーとを備えるディスク装置において、前記ホルダ及び前記トレイカバーの間に介在する直線状のバネ部材を備え、前記トレイカバーは、該トレイカバーの裏面に突設され、前記バネ部材を係合させる係合突部を有し、前記ホルダは、前記係合突部を挿通させる開口部が形成され、前記トレイカバーに対向配置される壁部と、前記壁部を間にして前記トレイカバーとは反対側に設けられ、前記バネ部材を固定するバネ固定部とを有し、前記バネ部材は、前記壁部に沿って配され、前記バネ固定部に固定されると共に、前記開口部を挿通した前記係合突部に係合され、前記トレイカバーを前記ホルダ側へ付勢するようにしてあり、前記係合突部には、前記開口部への挿通方向に交差する方向に長い平板部が設けられており、前記ホルダの前記壁部には、前記開口部の周縁部分に延設され、前記開口部に挿通された前記係合突部の前記平板部に対向する舌片状の対向部が設けられていることを特徴とする。
【００１０】
また、本発明に係るディスク装置は、前記バネ部材の付勢力を調整する調整手段を更に備えることを特徴とする。
【００１１】
また、本発明に係るディスク装置は、前記調整手段が、前記係合突部に設けられ、前記バネ部材との係合位置を変更可能にしてあることを特徴とする。
【００１２】
また、本発明に係るディスク装置は、前記係合突部には、前記バネ部材と係合する複数の係合部が設けられていることを特徴とする。
【００１３】
また、本発明に係るディスク装置は、前記係合突部には凹所が形成してあり、該凹所内に移動可能に収容され、ねじ穴が形成された移動部と、該移動部のねじ穴に螺合されたねじとを備え、前記移動部に前記バネ部材と係合する係合部が設けられていることを特徴とする。
【００１４】
また、本発明に係るディスク装置は、前記調整手段が、前記ホルダに設けられ、前記バネ固定部による前記バネ部材の固定位置を変更可能にしてあることを特徴とする。
【００１５】
また、本発明に係るディスク装置は、前記ホルダには、前記バネ固定部が複数設けられていることを特徴とする。
【００１６】
また、本発明に係るディスク装置は、前記ホルダには凹所が形成してあり、該凹所内に移動可能に収容され、ねじ穴が形成された移動部と、該移動部のねじ穴に螺合されたねじとを備え、前記バネ固定部は、前記移動部に設けてあることを特徴とする。
【００１９】
また、本発明に係るディスク装置は、前記ホルダに設けられ、前記バネ部材の前記係合突部による係合位置及び前記バネ固定部による固定位置の間にて、前記バネ部材に当接する当接部を更に備えることを特徴とする。
【００２０】
また、本発明に係るディスク装置は、前記バネ部材には巻回部分が設けられており、前記バネ固定部は、前記バネ部材の巻回部分を挿通する挿通部と、該挿通部に連ねて設けられ、前記バネ部材の前記挿通部への挿通方向の移動を係止する係止部とを有することを特徴とする。
【００２１】
また、本発明に係るディスク装置は、前記係合突部が、前記トレイカバーに２つ設けられ、前記バネ部材は、中央側にて前記バネ固定部に固定され、両端側にて２つの前記係合突部に係合するようにしてあることを特徴とする。
【００２２】
また、本発明に係るディスク装置は、前記トレイカバーの裏面に突設されたトレイ側リブと、前記筐体に設けられ、前記トレイ部が前記筐体内に退入した場合に、前記トレイカバーの裏面に対向する壁部と、該壁部に突設された筐体側リブとを備え、前記トレイ部が前記筐体内に退入した場合に、前記トレイ側リブ及び前記筐体側リブが隣り合うようにしてあることを特徴とする。
【００２３】
また、本発明に係るディスク装置は、前記トレイ側リブが、前記トレイカバーの裏面縁部分の一周に亘って環状に設けてあり、前記壁部は、前記トレイ部が挿通する開口が形成してあり、前記筐体側リブは、前記開口を囲んで環状に設けてあり、前記トレイ部が前記筐体内に退入した場合に、前記筐体側リブが前記トレイ側リブ内に収まるようにしてあることを特徴とする。
【００２４】
また、本発明に係るディスク装置は、前記トレイカバーの裏面に突設された可撓性を有するリブと、前記筐体に設けられ、前記トレイ部が前記筐体内に退入した場合に、前記トレイカバーの裏面に対向する壁部とを備え、前記トレイ部が前記筐体内に退入した場合に、前記リブが前記壁部に当接するようにしてあることを特徴とする。
【００２５】
本発明においては、トレイカバー及びホルダの間に、直線状のバネ部材（例えば線バネ又は幅が小さい板バネ等の細長形状のバネ）を介在させ、トレイカバーがホルダに対して上下左右方向へ柔軟に移動できる構成とする。ホルダには板状のトレイカバーに対向する壁部を設け、バネ部材はホルダの壁部に沿って設け、バネ部材によりトレイカバーをホルダ側へ付勢する。直線状のバネ部材をトレイカバーに沿って配する構成とすることで、トレイカバー及びホルダの厚みを低減することができる。
上記の構成を実現するために、トレイカバーの裏面にバネ部材を係合させるための係合突部を突設し、この係合突部が挿通する開口部をホルダの壁部に形成する。トレイカバーの係合突部をホルダの開口部に挿通し、ホルダに設けられたバネ固定部にバネ部材を固定すると共に、トレイカバーの係合突部にバネ部材を係合させる構成とする。これにより、バネ部材の取り付け、トレイカバー及びホルダの組み立てを容易に行うことができる。またバネ部材はホルダの壁部を間にしてトレイカバーと反対側に配される構成であり、ホルダの開口部を挿通した係合突部にバネ部材が係合される構成であるため、トレイカバーがホルダから外れ難い構成とすることができる。
【００２６】
トレイカバーが筐体の出入口を閉塞するために、ディスクトレイが筐体内に退入した（収納された）状態において、トレイカバーがバネ部材によって付勢されて出入口の周縁部分に密着することが望ましい。しかしながら、バネ部材は製造バラツキなどによってその付勢力にバラツキが生じるという問題があり、バネ部材の付勢力がディスクトレイを収納するモータなどの力より大きい場合、ディスクトレイの収納が阻害される虞がある。
そこで本発明においては、バネ部材の付勢力を調整する手段をトレイカバー又はホルダに設ける。
【００２７】
バネ部材はトレイカバーの係合突部に係合される構成であるが、バネ部材と係合突部との係合位置を調整することによって、バネ部材による付勢力を調整することができる。
例えば係合突部には複数の係合部を設けて、バネ部材をいずれか１つの係合部に選択的に係合させる構成とすることで、バネ部材による付勢力を段階的に調整可能な構成とすることができる。また例えば、ねじの回転に応じて移動する移動部を係合突部に設け、この移動部に係合部を設ける構成とすることにより、ねじの回転に応じてバネ部材による付勢力を連続的に調整することができる。
【００２８】
またバネ部材はホルダのバネ固定部に固定される構成であるが、バネ固定部によるバネ部材の固定位置を調整することによって、バネ部材による付勢力を調整することができる。
例えばバネ固定部を複数設けて、バネ部材をいずれか１つのバネ固定部にて選択的に固定する構成とすることで、バネ部材による付勢力を段階的に調整可能な構成とすることができる。また例えば、ねじの回転に応じて移動する移動部をホルダに設け、この移動部にバネ固定部を設ける構成とすることにより、ねじの回転に応じてバネ部材による付勢力を連続的に調整することができる。
【００２９】
また、本発明においては、トレイカバーの係合突部には、開口部への挿通方向に交差する方向（例えばホルダの壁部に平行な方向）に、平板部を設ける。この平板部は、ホルダの壁部に沿って設けられるバネ部材の押さえとして用いることができ、バネ部材の脱落などを防止でき、トレイカバー及びホルダをより外れ難くすることができる。
また係合突部の平板部に対向する対向部を、ホルダの例えば開口部の周縁部などに設ける。これにより、係合突部が開口部を挿通した後では、平板部及び対向部が当接するため、係合突部が開口部から抜け出すことを防止でき、トレイカバー及びホルダをより外れ難くすることができる。
【００３０】
また、本発明においては、バネ部材がトレイカバーの係合突部に係合される位置と、バネ部材がホルダのバネ固定部に固定される位置との間において、バネ部材に当接する当接部をホルダに設ける。これによりバネ部材の移動が規制され、バネ部材による付勢力を高めることができると共に、バネ部材の脱落などを防止できる。
【００３１】
また、本発明においては、バネ部材にはその一部を巻回して巻回部分を設け、例えば柱状などの挿通部にバネ部材の巻回部分を挿通して、バネ部材をホルダに固定する構成とする。これにより、バネ部材の固定を容易に行うことができる。
また挿通部に連ねて、バネ部材の移動を係止する係止部を設ける。係止部を適宜の位置に設けることによって、係止部をバネ部材の位置決めに利用することができ、バネ部材の固定をより容易且つ正確に行うことが可能となる。
【００３２】
また、本発明においては、トレイカバーには係合突部を２つ設け、ホルダの壁部に開口部を２つ形成し、各係合突部を対応する開口部にそれぞれ挿通させる構成とし、２つの係合突部がバネ部材の両端側に係合し、ホルダのバネ固定部がバネ部材の中央側を固定する構成とする。これによりトレイカバー及びバネ部材が２箇所で係合されるため、トレイカバーの外力に対する耐性が高まり、トレイカバー及びホルダをより外れ難くすることができる。
【００３３】
また、本発明においては、トレイカバーの裏面にトレイ側リブを突設する。ディスク装置の筐体には、トレイカバーの裏面に対向する壁部を設け、この壁部に筐体側リブを突設する。トレイ側リブ及び筐体側リブは、トレイ部が筐体内に退入した場合に隣り合うよう、それぞれ突設位置が定められる。これによりディスク装置は、筐体外から出入口を通して塵埃などが侵入する経路中にトレイ側リブ及び筐体側リブを設けることができ、筐体内への塵埃などの侵入を防止することができる。
【００３４】
また、本発明においては、トレイ側リブをトレイカバーの裏面縁部分の一周に亘って環状に設ける。同様に、筐体側リブは、トレイ部が挿通する壁部の開口を囲んで環状に設ける。トレイ側リブ及び筐体側リブは、トレイ部が筐体内に退入した場合に、筐体側リブがトレイ側リブ内に収まるように、それぞれ突設位置が定められる。これによりディスク装置は、トレイ部が挿通する開口をトレイ側リブ及び筐体側リブにて閉塞し、筐体内への塵埃などの侵入をより確実に防止することができる。
【００３５】
また、本発明においては、トレイカバーの裏面に可撓性のリブを突設する。このリブは、トレイ部が筐体内に退入した場合に、筐体の壁部に当接して撓む。これによりディスク装置は、筐体外から出入口を通して塵埃などが侵入する経路の一部又は全部をリブにて閉鎖することができ、筐体内への塵埃などの侵入を防止することができる。
【発明の効果】
【００３６】
本発明による場合は、直線状のバネ部材を用いてトレイカバー及びホルダを連結する構成とすることによって、トレイカバー及びトレイホルダの厚みを薄くすることができ、ディスクトレイの出入の移動量が限られている場合であっても、ディスクの載置位置を前方（ユーザ側）に設けることが可能となるため、ユーザがディスクを載置しやすいディスク装置を実現できる。また直線状のバネ部材を用いることによって、ホルダに対してトレイカバーを柔軟に移動させることができる。またトレイカバーの係合突部をホルダの開口部に挿通し、ホルダのバネ固定部にバネ部材を固定すると共に、トレイカバーの係合突部にバネ部材を係合させる構成とすることにより、組み立てが容易であり、且つ、トレイカバーが外れ難いディスク装置を実現できる。
【００３７】
また本発明による場合は、バネ部材による付勢力を調整する手段を設けることにより、バネ部材の付勢力のバラツキによってディスクトレイの収納が阻害される不良の発生頻度を低減することができるため、ディスク装置の歩留まり向上、又は、安価なバネ部材を利用してディスク装置のコストダウン等を実現することが可能となる。
【図面の簡単な説明】
【００３８】
【図１】ディスク装置の外観を示す斜視図である。
【図２】ディスク装置の外観を示す斜視図である。
【図３】ホルダ及びトレイカバーの構成を示す斜視図である。
【図４】ホルダ及びトレイカバーを下方から見た構成を示す平面図である。
【図５】ホルダ及びトレイカバーを下方から見た構成を示す平面図である。
【図６】ホルダの構成を示す一部拡大図である。
【図７】ホルダの構成を示す一部拡大図である。
【図８】ホルダの前面視の構成を示す図である。
【図９】バネ係合リブの構成を示す拡大斜視図である。
【図１０】バネ係合リブの構成を示す拡大斜視図である。
【図１１】バネ係合リブの構成を示す拡大斜視図である。
【図１２】ホルダ及びトレイカバーの組み立てを説明するための図である。
【図１３】ホルダ及びトレイカバーの組み立てを説明するための図である。
【図１４】ホルダ及びトレイカバーの組み立てを説明するための図である。
【図１５】バネ係合リブを矩形開口に挿通する手順を説明するための拡大断面図である。
【図１６】トレイカバーをホルダから取り外す手順を説明するための拡大断面図である。
【図１７】実施の形態２に係るディスク装置のホルダ及びトレイカバーの構成を示す模式図である。
【図１８】実施の形態２のトレイカバーに設けられるバネ係合リブの構成を示す拡大図である。
【図１９】実施の形態２の変形例に係るディスク装置のホルダ及びトレイカバーの構成を示す模式図である。
【図２０】実施の形態３に係るディスク装置のホルダ及びトレイカバーの構成を示す模式図である。
【図２１】実施の形態３に係るディスク装置のホルダ及びトレイカバーの構成を示す模式図である。
【図２２】実施の形態３の変形例に係るディスク装置のホルダ及びトレイカバーの構成を示す模式図である。
【図２３】実施の形態３の変形例に係るディスク装置のホルダ及びトレイカバーの構成を示す側断面図である。
【図２４】実施の形態４に係るディスク装置の外観を示す斜視図である。
【図２５】実施の形態４に係るディスク装置の構成を示す側断面図である。
【図２６】実施の形態４に係るディスク装置の構成を示す側断面図である。
【図２７】実施の形態５に係るディスク装置の外観を示す斜視図である。
【図２８】実施の形態５に係るディスク装置の構成を示す側断面図である。
【図２９】実施の形態５に係るディスク装置の構成を示す側断面図である。
【図３０】図２９の一部拡大図である。
【図３１】実施の形態５の変形例に係るリブの構成を示す側断面図である。
【図３２】実施の形態５の変形例に係るリブの構成を示す側断面図である。
【発明を実施するための形態】
【００３９】
（実施の形態１）
以下、本発明をその実施の形態を示す図面に基づき具体的に説明する。図１及び図２は、ディスク装置の外観を示す斜視図である。図において１は、ディスク装置の筐体である。筐体１は、扁平な直方体状をなしており、細長の一側面（前面）を操作用のスイッチなどが配されたパネル面１ａとしてある。ディスク装置は、ＤＶＤ又はブルーレイディスク等のディスク９９に対するデータの読み出し及び／又は書き込み等を行う装置であり、ディスク９９が載置されるディスクトレイ１０を備えている。筐体１のパネル面１ａには、ディスクトレイ１０が出入するための左右方向に長い略長方形の出入口２が形成されており、ディスクトレイ１０は、筐体１に収納された位置（図１参照）と、筐体１から前方へ最も突出した位置（図２参照）との間を、筐体１内の図示しない搬送機構によって出入口２からスライドして搬送される。
【００４０】
ディスクトレイ１０は、上面視が略長方形をなす板状のトレイ本体１１と、トレイ本体１１の突出端に固定されたホルダ２０と、ホルダ２０に揺動可能に保持されたトレイカバー４０とを備えて構成されている。トレイ本体１１は、その上面に略円形の凹部１２が形成されており、凹部１２内にディスク９９が載置される。トレイカバー４０は、筐体１の出入口２と略同じ長方形状をなす板状部材であり、ディスクトレイ１０のトレイ本体１１が筐体１内に収納された場合に出入口２を閉塞するためのものである。トレイカバー４０によって出入口２を閉塞することによって、筐体１内への塵埃の侵入を防止でき、筐体１内の機械機構から発せられる騒音が外部へ漏れることを防止できる。
【００４１】
図３は、ホルダ２０及びトレイカバー４０の構成を示す斜視図であり、ホルダ２０及びトレイカバー４０をディスク装置の後下側から見た構成を示してある。また、図４及び図５は、ホルダ２０及びトレイカバー４０を下方から見た構成を示す平面図であり、ディスクトレイ１０が筐体１から外部へ突出した状態でのホルダ２０及びトレイカバー４０を図４に示し、ディスクトレイ１０が筐体１内に収納された状態でのホルダ２０及びトレイカバー４０を図５に示す。図６及び図７は、ホルダ２０の構成を示す一部拡大図であり、ディスク装置の後下側から見た構成を図６に示し、ディスク装置の前上側から見た構成を図７に示してある。図８は、ホルダ２０の前面視の構成を示す図である。
【００４２】
ホルダ２０は、前壁２１、後壁２２、側壁２３、２４及び天壁２５で囲まれ、底部分が開放された略直方体形の容器状をなす部材であり、合成樹脂などの一体成型品である。ホルダ２０の前壁２１、後壁２２及び天壁２５は、側壁２３、２４の数倍〜十数倍程度の長さを有する長方形状をなしており、その長さはトレイ本体１１の左右方向の長さと同程度である。ホルダ２０の後壁２２には、その上端から後側へ向けて、天壁２５と連続するようにひさし部２６が延出して設けられている。またホルダ２０の後壁２２及びひさし部２６の左右両端は、その後面及び下面に連結された補強板部２６ａによりそれぞれ補強されている。各補強板部２６ａは、ひさし部２６の左右後側の端部に沿って略Ｌ字型に屈曲して設けられている。
【００４３】
ホルダ２０の後壁２２の後面下端には、左右方向の適宜の２か所に、後側へ突出する爪部２２ａがそれぞれ設けられている。同様に、ひさし部２６の下面後側には、左右方向の適宜の２か所に、下側へ突出する爪部２６ｂがそれぞれ設けられている。後壁２２の爪部２２ａ及びひさし部２６の爪部２６ｂは、ホルダ２０とトレイ本体１１とを固定するためのものであり、トレイ本体１１の突端部分に設けられた凹部又は溝部等（図示は省略する）に爪部２２ａ及び２６ｂを係合させることによって、ホルダ２０をトレイ本体１１に対して不動に固定することができる。
【００４４】
ホルダ２０の前壁２１には、左右の両端部近傍に円形開口２１ａがそれぞれ形成されている。また前壁２１には、各円形開口２１ａと並べて、円形開口２１ａよりも中央側の位置に、矩形開口２１ｂがそれぞれ形成されている。矩形開口２１ｂは、前壁２１の左右方向に長い略矩形をなしている。矩形開口２１ｂの下辺部分の略中央には、略矩形の舌片部２１ｃが上側へ向けて延設されている。
【００４５】
前壁２１、後壁２２、側壁２３、２４及び天壁２５に囲まれたホルダ２０の内部は、側壁２３、２４と略平行に配された２つの内壁２７及び２つのＵ字壁２８によって５つの部屋に仕切られている。２つの内壁２７は、前壁２１の円形開口２１ａ及び矩形開口２１ｂの間の位置に設けられている。また２つのＵ字壁２８は、その下側を上下に長い切欠２８ａを形成して略Ｕ字形としたものであり、矩形開口２１ｂの短辺部分近傍（ただし、前壁２１の中央側）に設けられている。
【００４６】
またホルダ２０の天壁２５には、左右方向の中央位置に、後壁２２に寄せて、下面視が十字形（＋形）をなす柱状のバネ固定部２９が、下方へ向けて立設されている。バネ固定部２９は、線バネ６０を固定するためのものである。線バネ６０は、直線状の金属線の中央部分を巻回させ、左右の両端部分を略直角に屈曲させた態様のバネである。線バネ６０の巻回部分６１をバネ固定部２９に挿通させることによって線バネ６０がホルダ２０に固定される。またバネ固定部２９は、その上下方向の中途位置に段部２９ａが形成されており、段部２９ａによって線バネ６０の上方への移動を規制することによって、線バネ６０の上下方向の位置決めを行うようにしてある。
【００４７】
トレイカバー４０は、前面視が左右方向に長い略長方形をなすカバー板部４１と、カバー板部４１の後面の左右両端にそれぞれ設けられた側板部４２とを備えて構成されており、合成樹脂などの一体成型品である。カバー板部４１は、ディスクトレイ１０がディスク装置の筐体１内に収納された場合に、筐体１の出入口２を閉塞し、筐体１の外装の一部分をなす。カバー板部４１は、ホルダ２０の前壁２１より一回り大きい略長方形をなしており、カバー板部４１の後面とホルダ２０の前壁２１の前面とが対向するように、トレイカバー４０はホルダ２０に保持される。
【００４８】
トレイカバー４０の２つの側板部４２は、それぞれ略矩形の板状をなし、カバー板部４１の左右両端に対向配置されている。２つの側板部４２の間の距離は、ホルダ２０の前壁２１の左右方向の長さよりも長く、トレイカバー４０がホルダ２０に保持された状態では、２つの側板部４２の間にホルダ２０が挟まれた状態となる。
【００４９】
トレイカバー４０のカバー板部４１の後面には、左右の両端部近傍に十字リブ４３がそれぞれ突設されている。十字リブ４３は、後面視が十字形（＋形）をなす先細の柱状であり、２つの十字リブ４３間の距離は、ホルダ２０の前壁２１に形成された２つの円形開口２１ａ間の距離と略等しくしてある。また十字リブ４３のサイズは、円形開口２１ａの直径より小さく、十字リブ４３は円形開口２１ａ内に挿入可能にしてある。即ち、ホルダ２０がトレイカバー４０を保持し、トレイカバー４０のカバー板部４１の後面とホルダ２０の前壁２１の前面とが対向した状態では、トレイカバー４０の十字リブ４３はホルダの円形開口２１ａに挿入された状態となる。トレイカバー４０の十字リブ４３及びホルダ２０の円形開口２１ａは、ホルダ２０に対するトレイカバー４０の上下左右方向に関する位置決めを行うためのものである。
【００５０】
またカバー板部４１の後面には、各十字リブ４３と並べて、十字リブ４３よりもカバー板部４１の中央側の位置に、バネ係合リブ５０がそれぞれ突設されている。２つのバネ係合リブ５０の立設位置は、ホルダ２０の２つの矩形開口２１ｂに対応した位置であり、ホルダ２０がトレイカバー４０を保持した状態では、トレイカバー４０のバネ係合リブ５０がホルダ２０の矩形開口２１ｂをそれぞれ挿通する。
【００５１】
図９〜図１１は、バネ係合リブ５０の構成を示す拡大斜視図であり、トレイカバー４０のバネ係合リブ５０の周辺を拡大した図と、更にバネ係合リブ５０を拡大した図とを示してある。バネ係合リブ５０は、トレイカバー４０のカバー板部４１の後面に対して略垂直に突設された矩形板状のベース板部５１と、このベース板部５１の先端部分を略垂直に下方へ屈曲又は湾曲させた態様で設けられ、カバー板部４１の後面に対して略平行に配された平行板部５２と、この平行板部５２のカバー板部４１との対向面に、ベース板部５１とは所定の間隔を隔ててカバー板部４１へ向けて突設された係合爪部５３と、平行板部５２の反対面に突設された略直方体形の突出部５４とを備えて構成されている。
【００５２】
ベース板部５１は、トレイカバー４０の長手方向（左右方向）に長い略矩形をなし、その中途部分に厚みが変化する段部５１ａが形成されている。またベース板部５１には、トレイカバー４０の左右方向について隣接する十字リブ４３側の端部に、カバー板部４１の後面とベース板部５１の根元部分とを直角三角形状の部分で連結した態様のスロープ部５１ｂが設けられている。平行板部５２は、ベース板部５１と同様にトレイカバー４０の左右方向に長い略矩形をなしている。係合爪部５３は、ベース板部５１から離れた長辺側に、且つ、トレイカバー４０の左右方向について、ベース板部５１のスロープ部５１ｂが設けられた側と同じ側の平行板部５２の端部に、カバー板部４１側へ向けて突設されている。係合爪部５３は、厚みが徐々に薄くなるように突出端に傾斜を設けた矩形板状をなしている。
【００５３】
バネ係合リブ５０のベース板部５１、平行板部５２及び係合爪部５３にて三方を囲まれた略Ｕ字形の凹所には、ホルダ２０のバネ固定部２９に固定された線バネ６０の端部が係合するようにしてあり、この凹所が線バネ６０との係合部をなしている。線バネ６０は、トレイカバー４０をホルダ２０へ向けて付勢する構成であり、その付勢力はバネ係合リブ５０の平行板部５２に対して加えられる。平行板部５２は、線バネ６０との接触面積の増大を担うものである。また係合爪部５３は、線バネ６０がバネ係合リブ５０から脱落することを防止するためのものである。
【００５４】
図１２〜図１４は、ホルダ２０及びトレイカバー４０の組み立てを説明するための図であり、図１２から図１４へ組立手順を時系列に示してある。なお、図１２及び図１３には、ホルダ２０及びトレイカバー４０の下面視の構成を、その一部を破断して示してあり、図１４には、ホルダ２０、トレイカバー４０及び線バネ６０の斜視図を示してある。また、図１５は、バネ係合リブ５０を矩形開口２１ｂに挿通する手順を説明するための拡大断面図であり、図の左側から右側へ挿入手順を時系列に示してある。
【００５５】
ホルダ２０及びトレイカバー４０の組み立て（ホルダ２０によるトレイカバー４０の保持）を行う場合、まずトレイカバー４０の２つの十字リブ４３をホルダ２０の前壁２１に形成された２つの円形開口２１ａにそれぞれ挿通させると共に、トレイカバー４０の２つのバネ係合リブ５０をホルダ２０の２つの矩形開口２１ｂに挿通させる。その後、線バネ６０の巻回部分６１をホルダ２０のバネ固定部２９に固定し、線バネ６０の両端部分を矩形開口２１ｂからホルダ２０内に挿通されたトレイカバー４０の２つのバネ係合リブ５０にそれぞれ係合させる。これによりトレイカバー４０は、線バネ６０を介してホルダ２０に揺動可能に保持され、ディスク装置の上下左右方向にトレイカバー４０を揺動させることができる。
【００５６】
ここで、ベース板部５１及び平行板部５２の左右方向の長さは、ホルダ２０の前壁２１に形成された矩形開口２１ｂの左右方向の長さより短い。しかし、平行板部５２の上下方向の長さは、矩形開口２１ｂの舌片部２１ｃが設けられていない部分の上下方向の長さより短いが、舌片部２１ｃが設けられている部分の上下方向の長さより若干長い。またトレイカバー４０の２つのバネ係合リブ５０は、各平行板部５２がホルダ２０の各矩形開口２１ｂの舌片部２１ｃに対向するように配置されている。よって、平行板部５２と舌片部２１ｃとが当接し、容易にバネ係合リブ５０を矩形開口２１ｂに挿通させることはできないように構成されている。
【００５７】
そこで、平行板部５２と舌片部２１ｃとが当接する位置までバネ係合リブ５０を矩形開口２１ｂへ挿入した後、トレイカバー４０を上方（舌片部２１ｃから離れる方向）へ若干移動させる。次いで、トレイカバー４０に力を加えてバネ係合リブ５０を撓ませながら（場合によっては、トレイカバー４０をホルダ２０に対して傾けるなどして）矩形開口２１ｂへ押し込み、平行板部５２が矩形開口２１ｂを挿通した後にトレイカバー４０を下方へ戻す。
【００５８】
トレイカバー４０のバネ係合リブ５０がホルダ２０の矩形開口２１ｂを挿通した後、ホルダ２０の前壁２１の後側にて、バネ係合リブ５０の平行板部５２と矩形開口２１ｂの舌片部２１ｃとが対向する。このため、ホルダ２０からトレイカバー４０を取り外す方向（ホルダ２０及びトレイカバー４０を離隔する方向）へトレイカバー４０を移動させた場合、ホルダ２０の前壁２１の後側にて、バネ係合リブ５０の平行板部５２と矩形開口２１ｂの舌片部２１ｃとが当接し、容易にトレイカバー４０がホルダ２０から取り外すことができないように構成されている。即ち、トレイカバー４０のバネ係合リブ５０の平行板部５２及びホルダ２０の舌片部２１ｃは、トレイカバー４０の前方への移動を規制し、トレイカバー４０のホルダ２０からの離脱を防止するためのものである。
【００５９】
トレイカバー４０の十字リブ４３及びバネ係合リブ５０をホルダ２０の円形開口２１ａ及び矩形開口２１ｂにそれぞれ挿通した後、ホルダ２０のバネ固定部２９に線バネ６０の巻回部分６１を固定し、バネ係合リブ５０に線バネ６０の両端を係合させる。この状態において線バネ６０は、トレイカバー４０をホルダ２０へ接近させる方向（即ちディスク装置の奥方又は後側）へ付勢している。ディスクトレイ１０がディスク装置の筐体１内に収納された状態では、トレイカバー４０の後面の周縁部分と筐体１の出入口２の周縁部分とが当接し、トレイカバー４０の奥方への移動が係止されるが、トレイ本体１１及びホルダ２０はディスク装置の搬送機構によって更に奥方まで移動される。よってこの状態においては、トレイカバー４０とホルダ２０とが離隔し、トレイカバー４０が線バネ６０の付勢力によって筐体１の出入口２に密着し、出入口２が閉塞される（図５参照）。
【００６０】
また線バネ６０は、前壁２１、後壁２２、側壁２３、２４及び天壁２５で囲まれたホルダ２０内に配される。ホルダ２０内はバネ固定部２９とバネ係合リブ５０が挿通する矩形開口２１ｂとの間にそれぞれＵ字壁２８が設けられており、線バネ６０は巻回部分６１と左右の端部との途中位置にてＵ字壁２８の切欠２８ａ内を通される。ディスクトレイ１０が筐体１内に収納されてトレイカバー４０がホルダ２０から離隔した状態では、線バネ６０がトレイカバー４０側へ引っ張られ、線バネ６０がＵ字壁２８の切欠２８ａの内面に当接するよう、Ｕ字壁２８が構成されている。これにより、Ｕ字壁２８との当接位置にて線バネ６０が湾曲するため、線バネ６０によるトレイカバー４０の後方への付勢力を高めることができる。
【００６１】
図１６は、トレイカバー４０をホルダ２０から取り外す手順を説明するための拡大断面図であり、図の左側から右側へ取り外し手順を時系列に示してある。上述のように、トレイカバー４０のバネ係合リブ５０をホルダ２０の矩形開口２１ｂに挿通させた後は、バネ係合リブ５０の平行板部５２と矩形開口２１ｂの舌片部２１ｃとが当接するため、トレイカバー４０をホルダ２０から容易に取り外すことはできない。しかしながらトレイカバー４０をホルダ２０から取り外す必要が生じる場合もあるため、このような場合には図１６に示す手順でトレイカバー４０の取り外しを行うことができる。
【００６２】
トレイカバー４０の取り外しは、まず、前壁２１に対して略垂直にトレイカバー４０をホルダ２０から離隔する方向へ移動させ、バネ係合リブ５０の平行板部５２とホルダ２０の舌片部２１ｃとを当接させる。次いで、舌片部２１ｃの延出端の角部分を支点としてトレイカバー４０を下方へ回動させる。ただし、回動の途中でトレイカバー４０の突出部５４がホルダ２０の矩形開口２１ｃの上縁部分に当接し、回動が係止される。この状態でトレイカバー４０に対してさらに下方へ力を加え、バネ係合リブ５０を撓ませながら矩形開口２１ｂから抜き取ることによって、トレイカバー４０をホルダ２０から取り外すことができる。なおトレイカバー４０のバネ係合リブ５０に設けられた突出部５４は、トレイカバー４０が下方へ回動された場合に、トレイカバー４０がホルダ２０から容易に取り外されることを防止するためのものである。
【００６３】
以上の構成のディスク装置においては、線バネ６０がホルダ２０及びトレイカバー４０の長手方向（左右方向）に配され、ディスクトレイ１０のトレイカバー４０が線バネ６０を介してホルダ２０に保持される構成であるため、例えばトレイカバーがコイルバネを介して保持される構成と比較して、ホルダ２０及びトレイカバー４０の幅（前後方向の距離）を小さくすることができる。また線バネ６０を介する構成とすることによって、例えば板バネなどを用いる構成と比較して、ホルダ２０に対するトレイカバー４０の上下左右方向の揺動を柔軟に行うことができる。
【００６４】
また、トレイカバー４０に突設されたバネ係合リブ５０をホルダ２０の前壁２１に形成された矩形開口２１ｂに挿通し、前壁２１の後側にて、線バネ６０の巻回部分６１をホルダ２０のバネ固定部２９に固定すると共に、線バネ６０の両端をバネ係合リブ５０に係合させる構成とすることによって、線バネ６０の取り付けを容易に行うことができ、ホルダ２０及びトレイカバー４０の組み立て（ホルダ２０によるトレイカバー４０の保持）を容易に行うことができる。また線バネ６０は、ホルダ２０の前壁２１を間にしてトレイカバー４０と反対側に配される構成であり、ホルダ２０の矩形開口２１ｂを挿通したバネ係合リブ５０に線バネ６０が係合される構成であるため、トレイカバー４０がホルダ２０から離脱し難い。
【００６５】
また、トレイカバー４０のバネ係合リブ５０には、矩形開口２１ｂへの挿通方向に交差する方向（即ち、ホルダ２０の前壁２１に平行な方向）に平行板部５２を設けることにより、ホルダ２０の前壁２１に沿って設けられる線バネ６０の押さえとして平行板部５２を用いることができ、線バネ６０の脱落などを防止できる。またホルダ２０の前壁２１には、矩形開口２１ｂの周縁部分に、バネ係合リブ５０の平行板部５２に対向する舌片部を延設することにより、バネ係合リブ５０を矩形開口２１ｂに挿通した後では、平行板部５２及び舌片部２１ｃが当接するため、バネ係合リブ５０が矩形開口２１ｂから抜け出すことを防止できる。
【００６６】
また、線バネ６０がバネ係合リブ５０に係合される両端位置と、線バネ６０がホルダ２０のバネ固定部２９に固定される巻回部分６１との間において、線バネ６０に当接するＵ字壁２８をホルダ２０に設ける構成とすることにより、ディスクトレイ１０が筐体１内に収納されてトレイカバー４０がホルダ２０から離隔した場合などに、線バネ６０がＵ字壁２８に当接して湾曲するため、線バネ６０によりトレイカバー４０をホルダ２０側へ付勢する付勢力を高めることができる。
【００６７】
また、線バネ６０の中央部分を１回転以上巻回して巻回部分６１を設け、ホルダ２０の前壁２１より後側に設けられた柱状のバネ固定部２９に線バネ６０の巻回部分を挿通して固定する構成とすることにより、線バネ６０の固定を容易に行うことができる。またバネ固定部２９には、上下方向の中途位置に段部２９ａを形成し、段部２９ａによって線バネ６０の上方への移動を規制する構成とすることにより、線バネ６０の上下方向の位置決めを容易に行うことができる。
【００６８】
また、トレイカバー４０にはバネ係合リブ５０を左右に２つ設け、ホルダ２０の前壁２１には矩形開口２１ｂを左右に２つ形成して、２つの矩形開口２１ｂにそれぞれ挿通された２つのバネ係合リブ５０に線バネ６０の左右両端をそれぞれ係合させると共に、ホルダ２０の中央に設けたバネ固定部２９に線バネ６０の中央の巻回部分６１を挿通して固定する構成とすることにより、トレイカバー４０が左右両側の２か所で線バネ６０と係合されるため、トレイカバー４０へ加えられる外力に対する耐性を高めることができ、トレイカバー４０及びホルダ２０を外れ難くすることができる。
【００６９】
なお本実施の形態においては、トレイカバー４０の左右両側にバネ係合リブ５０をそれぞれ設け、線バネ６０との係合を２か所で行う構成としたが、これに限るものではない。例えばトレイカバー４０の中央にバネ係合リブ５０を１つ設け、ホルダ２０の前壁２１の中央に１つの矩形開口２１ｂを形成して、矩形開口２１ｂに挿通されたバネ係合リブ５０に線バネ６０の中央部分を係合させると共に、ホルダ２０の左右両側にバネ固定部２９をそれぞれ設け、線バネ６０の左右両端に巻回部分６１を設けてバネ固定部２９にそれぞれ固定する構成としてもよい。また、バネ部材として線バネ６０を用いる構成としたが、これに限るものではなく、例えば直線状とみなせる程度に細長い板状のバネ又は棒状のバネ等を用いる構成としてもよい。
【００７０】
（実施の形態２）
上述の実施の形態１にて説明したように、ディスクトレイ１０が筐体１内に収納された状態では、トレイカバー４０が筐体１の出入口２の周縁に当接し、トレイカバー４０及びホルダ２０が離隔すると共に、線バネ６０によりトレイカバー４０がホルダ２０側へ付勢された状態となる（図５参照）。このとき、ディスクトレイ１０を収納する搬送機構の力より線バネ６０の付勢力が強い場合、搬送機構がトレイ本体１１及びホルダ２０を筐体１の奥方へ搬送することができない虞がある。そこで実施の形態２に係るディスク装置は、線バネ６０による付勢力を調整可能な構成としたものである。
【００７１】
図１７は、実施の形態２に係るディスク装置のホルダ２０及びトレイカバー２４０の構成を示す模式図である。また図１８は、実施の形態２のトレイカバー２４０に設けられるバネ係合リブ２５０の構成を示す拡大図であり、図１７の破線円で囲んだ部分を拡大して示したものである。実施の形態２に係るディスク装置は、ホルダ２０の構成は実施の形態１のものと略同じであるが、トレイカバー２４０の構成が実施の形態１のトレイカバー４０の構成とは異なる。実施の形態２のトレイカバー２４０のバネ係合リブ２５０は、トレイカバー２４０のカバー板部４１に立設されたベース板部２５１に複数のバネ係合溝２５１ａ〜２５１ｃが形成されている。
【００７２】
各バネ係合溝２５１ａ〜２５１ｃは、トレイカバー２４０の長手方向（即ちディスク装置の左右方向）に長い溝であり、矩形開口２１ｂに対するバネ係合リブ２５０の挿入方向（即ちディスク装置の前後方向）へ、バネ係合溝２５１ａ、２５１ｂ、２５１ｃの順で形成されている。また３つのバネ係合溝２５１ａ〜２５１ｃは、略平行に略等間隔でベース板部２５１に形成されており、各バネ係合溝２５１ａ〜２５１ｃの幅は線バネ６０の太さより若干大きい。
【００７３】
線バネ６０は、中央の巻回部分６１がホルダ２０のバネ固定部２９に固定され、左右の両端部分はバネ係合リブ２５０のいずれかのバネ係合溝２５１ａ〜２５１ｃに係合される。このとき、トレイカバー２４０のカバー板部４１に最も近い（即ち最も前側の）バネ係合溝２５１ａに線バネ６０の両端部分が係合された場合、線バネ６０によるトレイカバー２４０をホルダ２０側へ（即ち後側へ）付勢する付勢力が最も大きい。逆に、トレイカバー２４０から最も遠い（即ち最も後側の）バネ係合部２５１ｃに線バネ６０の両端が係合された場合、線バネ６０の付勢力が最も小さい。よって、線バネ６０の両端をいずれのバネ係合溝２５１ａ〜２５１ｃに係合させるかによって、線バネ６０の付勢力を段階的に調整することができる。
【００７４】
そこで例えば、線バネ６０をまずバネ係合部２５１ａに係合して付勢力を最も大きくし、ディスク装置を動作させて搬送機構によりディスクトレイ１０を正常に筐体１内へ収納することができた場合には、バネ係合部２５１ａを線バネ６０の係合位置と確定することができる。線バネ６０の付勢力がディスク装置の搬送機構によるディスクトレイを収納する力より大きく、ディスクトレイ１０を筐体１内へ収納することができない場合、線バネ６０をバネ係合部２５１ｂに係合して付勢力を弱めることができる。バネ係合部２５１ｂに係合してもディスクトレイ１０を収納することができない場合には、線バネ６０をバネ係合部２５１ｃに係合して付勢力を更に弱めることができる。
【００７５】
以上の構成の実施の形態２に係るディスク装置は、線バネ６０によってトレイカバー２４０をホルダ２０側へ付勢する付勢力を調整可能な構成とすることによって、線バネ６０の製造バラツキなどによって付勢力にバラツキが生じる場合であっても付勢力を調整することができるため、ディスクトレイ１０の筐体１内への収納が阻害される不良を低減できる。なお、本実施の形態２においては、バネ係合リブ２５０に３つのバネ係合溝２５１ａ〜２５１ｃを形成する構成としたが、これに限るものではなく、２つ又は４つ以上のバネ係合溝を形成してもよい。また図１７及び図１８に示したバネ係合リブ２５０は、平行板部５２、係合爪部５３及び突出部５４等を有していないが、実施の形態１と同様にこれらを有する構成であってよい。
【００７６】
なお、実施の形態２に係るディスク装置のその他の構成は、実施の形態１に係るディスク装置の構成と同様であるため、同様の箇所には同じ符号を付して詳細な説明を省略する。
【００７７】
（変形例）
上述の実施の形態２のディスク装置は、複数のバネ係合溝２５１ａ〜２５１ｃを形成することで線バネ６０の付勢力を段階的に調整する構成であるが、線バネ６０の付勢力を連続的に調整可能な構成とすることもできる。図１９は、実施の形態２の変形例に係るディスク装置のホルダ２０及びトレイカバー２７０の構成を示す模式図である。実施の形態２の変形例に係るトレイカバー２７０のバネ係合リブ２８０は、ベース板部２８１に形成された凹所２８２内に、バネ係合リブ２８０の矩形開口２１ｂへの挿通方向（即ち前後方向）に移動する略直方体形の移動体２８３が収容されている。移動体２８３には、線バネ６０の端部を係合させるための係合溝が左右方向に形成されており、その後面にはねじ穴が形成されている。
【００７８】
ベース板部２８１の凹所２８２を構成する後側の壁には、ねじ２８４の軸部分が挿通する貫通孔が形成されており、この貫通孔を挿通したねじ２８４が移動体２８３のねじ穴に螺合するようにしてある。またベース板部２８１の突端部には、移動体２８３に螺合したねじ２８４がその軸方向へ移動することを防止するねじ止め部２８５が設けてある。ねじ止め部２８５は、例えばねじ２８４の頭部分の一部に当接することによって、凹所２８２を構成する後側の壁とねじ止め部２８５でねじ２８４の頭部分を挟み込む。
【００７９】
以上の構成により、ねじ２８４を回転させることによって、ねじ２８４に螺合する移動体２８３を、ねじ２８４の軸方向（即ち、ディスク装置の前後方向）へ移動させることができる。移動体２８３の位置を前後方向へ調整することによって、移動体２８３の係合溝に係合した線バネ６０の付勢力を調整することができる。この構成では、移動体２８３の位置をねじ２８４の回転によって連続的に調整することができるため、線バネ６０の付勢力を連続的に調整することができる。
【００８０】
（実施の形態３）
上述の実施の形態２に係るディスク装置は、線バネ６０の左右両端の係合位置を調整することで付勢力の調整を行う構成であるが、付勢力の調整方法はこれに限るものではない。実施の形態３に係るディスク装置は、線バネ６０のホルダ２０に対する固定位置を調整することによって付勢力の調整を行う構成である。図２０及び図２１は、実施の形態３に係るディスク装置のホルダ３２０及びトレイカバー４０の構成を示す模式図である。実施の形態３に係るディスク装置は、トレイカバー４０の構成は実施の形態１のものと略同じであるが、ホルダ３２０の構成が実施の形態１のホルダ２０の構成とは異なる。
【００８１】
実施の形態３のホルダ３２０は、複数のバネ固定部３２９ａ〜３２９ｃを有している。各バネ固定部３２９ａ〜３２９ｃは、実施の形態１のバネ固定部２９と略同じ形状であり、下面視が十字形（＋形）の柱状をなしており、中途位置に段部２９ａが形成されている。また複数のバネ固定部３２９ａ〜３２９ｃは、ディスク装置の左右方向の略中央に、前後方向へ略等間隔で並べて設けられている。線バネ６０は、中央の巻回部分６１がいずれかのバネ固定部３２９ａ〜３２９ｃに固定され、左右の両端部分がホルダカバー４０のバネ係合リブ５０にそれぞれ係合される。
【００８２】
線バネ６０の巻回部分６１が、最も後側のバネ固定部３２９ａに固定された場合、線バネ６０によるトレイカバー４０をホルダ３２０側へ（即ち後側へ）付勢する付勢力が最も大きい。逆に、最も前側のバネ固定部３２９ｃに線バネ６０の巻回部分６１を固定した場合、線バネ６０の付勢力が最も小さい。よって、線バネ６０の巻回部分６１をいずれのバネ固定部３２９ａ〜３２９ｃに固定するかによって、線バネ６０の付勢力を段階的に調整することができる。
【００８３】
そこで例えば、線バネ６０の巻回部分６１をバネ固定部３２９ａに固定して付勢力を最も大きくし（図２０参照）、ディスク装置を動作させて搬送機構によりディスクトレイ１０を正常に筐体１内へ収納することができた場合には、バネ固定部３２９ａを線バネ６０の固定位置と確定することができる。線バネ６０の付勢力がディスク装置の搬送機構によるディスクトレイを収納する力より大きく、ディスクトレイ１０を筐体１内へ収納することができない場合、線バネ６０の巻回部分６１をバネ固定部３２９ｂに固定して付勢力を弱めることができる。バネ固定部３２９ｂに固定してもディスクトレイ１０を収納することができない場合には、線バネ６０の巻回部分６１をバネ固定部３２９ｃに固定して（図２１参照）、付勢力をさらに弱めることができる。
【００８４】
以上の構成の実施の形態３に係るディスク装置は、線バネ６０によってトレイカバー４０をホルダ３２０側へ付勢する付勢力を調整可能な構成とすることによって、線バネ６０の製造バラツキなどによって付勢力にバラツキが生じる場合であっても付勢力を調整することができるため、ディスクトレイ１０の筐体１内への収納が阻害される不良を低減できる。なお、実施の形態３においては、ホルダ３２０に３つのバネ固定部３２９ａ〜３２９ｃを設ける構成としたが、これに限るものではなく、２つ又は４つ以上のバネ固定部を設けてもよい。
【００８５】
また、実施の形態２のトレイカバー２４０と実施の形態３のホルダ３２０とを組み合わせて用いることにより、バネ係合リブ２５０のバネ係合溝２５１ａ〜２５１ｃ及び線バネ６０の左右両端の係合位置の調整と、ホルダ３２０のバネ固定部３２９ａ〜３２９ｃ及び線バネ６０の巻回部分６１の固定位置の調整との両方を行うことができる構成としてもよい。
【００８６】
なお、実施の形態３に係るディスク装置のその他の構成は、実施の形態１に係るディスク装置の構成と同様であるため、同様の箇所には同じ符号を付して詳細な説明を省略する。
【００８７】
（変形例）
上述の実施の形態３のディスク装置は、複数のバネ固定部３２９ａ〜３２９ｃをホルダ３２０に設けることで線バネ６０の付勢力を段階的に調整する構成であるが、線バネ６０の付勢力を連続的に調整可能な構成とすることもできる。図２２は、実施の形態３の変形例に係るディスク装置のホルダ３８０及びトレイカバー４０の構成を示す模式図である。また図２３は、実施の形態３の変形例に係るディスク装置のホルダ３８０及びトレイカバー４０の構成を示す側断面図であり、ホルダ３８０及びトレイカバー４０の左右方向の略中央での断面を示したものである。
【００８８】
実施の形態３の変形例に係るホルダ３８０は、略中央に左右をガイドリブ３８１で仕切られ、前後を前壁２１及び後壁２２で仕切られた凹所が設けられており、この凹所内に前後方向へ移動可能な移動体３８２が収容されている。移動体３８２は、略長方形の板体を屈曲させた態様の部材であり、前板部、天板部及び後板部を有している。移動体３８２の前板部の下端面には、前板部より細い略長方形をなす板状の突起が下方へ突出して設けられており、この突起をバネ固定部３８３としてある。バネ固定部３８３には、線バネ６０の巻回部分６１が挿通され、これにより線バネ６０が固定される。
【００８９】
また移動体３８２の後板部には、ねじ３８４の軸部が挿通する貫通孔が形成されている。同様にホルダ３８０の後壁２２には、ねじ３８４の軸部が挿通する貫通孔が形成されており、ねじ３８４をホルダ３８０の後側から後壁２２の貫通孔に挿通し、ホルダ３８０の凹所内に収容された移動体３８２の後板部の貫通孔に挿通することができるようにしてある。ホルダ３８０及び移動体３８２を挿通したねじ３８４には、ナット３８６が螺合される。また移動体３８２の後板部とホルダ３８０の後壁２２との間には、これらを離隔する方向へ付勢する付勢部材３８５が介装されており、これによりねじ３８４の軸方向への移動が係止される。移動体３８２は、その後板部がナット３８６及び付勢部材３８５に挟まれて前後方向の位置が決定される。
【００９０】
以上の構成により、ねじ３８４を回転させることによって、ねじ３８４に螺合するナット３８６を前後方向へ移動させることができ、ナット３８６及び付勢部材３８５に挟まれた移動体３８２を前後方向へ移動させることができる。移動体３８２の位置を前後方向へ調整することによって、移動体３８２のバネ固定部３８３に固定された線バネ６０の付勢力を調整することができる。この構成では、移動体３８２の位置をねじ３８４の回転によって連続的に調整することができるため、線バネ６０の付勢力を連続的に調整することができる。
【００９１】
（実施の形態４）
図２４は、実施の形態４に係るディスク装置の外観を示す斜視図である。また図２５及び図２６は、実施の形態４に係るディスク装置の構成を示す側断面図である。なお、図２４及び図２５にはディスクトレイ１０が筐体１から外部へ突出した状態を示し、図２６にはディスクトレイ１０が筐体１内に収納された状態を示してある。
【００９２】
実施の形態４に係るディスク装置は、実施の形態１に係るディスク装置と同様に、筐体１の出入口２から出入するディスクトレイ１０を備えている。ディスクトレイ１０は、ディスク９９を載置するトレイ本体１１と、トレイ本体１１の突出端に固定されたホルダ２０と、ホルダ２０に揺動可能に保持されたトレイカバー４４０とを備えて構成されている。実施の形態４に係るディスク装置のトレイ本体１１及びホルダ２０の構成は、実施の形態１に係るディスク装置のトレイ本体１１及びホルダ２０と同じ構成である。
【００９３】
また実施の形態４に係るディスク装置のホルダ２０によるトレイカバー４４０の保持構造は、実施の形態１に係るディスク装置のホルダ２０によるトレイカバー４０の保持構造と同じ構成である。即ち、図２４〜図２６にて図示は省略するが、トレイカバー４４０に突設されたバネ係合リブ５０を、ホルダ２０の前壁２１に形成された矩形開口２１ｂに挿通し、ホルダ２０のバネ固定部２９に固定された線バネ６０に係合させる構成である。
【００９４】
実施の形態４に係るディスク装置のトレイカバー４４０は、カバー板部４１の後面（裏面）の縁部分には、後方へ突出してリブ４４２が設けられている。リブ４４２は、カバー板部４１の周囲の一周に亘って設けられており、カバー板部４１の後面視で略長方形の環状をなしている。ホルダ２０がトレイカバー４４０を保持した状態においては、ホルダ２０の前壁２１がトレイカバー４４０のリブ４４２内に収まる。
【００９５】
また実施の形態４に係るディスク装置の筐体１は、出入口２から奥方に、上下左右の周壁及び奥方の奥壁４０３に囲まれた凹所４０２が設けてある。奥壁４０３は、筐体１のパネル面１ａと略平行に設けられ、トレイカバー４４０の裏面に対向するように設けられている。また奥壁４０３には、左右に長い略長方形の開口４０３ａが形成されている。開口４０３ａは、ディスクトレイ１０のトレイ本体１１及びホルダ２０が挿通可能な大きさである。ディスクトレイ１０は、開口４０３ａを挿通して、出入口２から筐体１の内外へ出入りするように設けられている。なお凹所４０２内には、開口４０３ａ以外に、筐体１の内部へ通じる経路は設けられていない。
【００９６】
また筐体１の奥壁４０３には、開口４０３ａの周囲に、リブ４０４が前方へ向けて突設してある。リブ４０４は、開口４０３ａの周囲の一周に亘って設けられており、筐体１の前面視で略長方形の環状をなしている。
【００９７】
ディスクトレイ１０が筐体１内へ収納された場合、トレイ本体１１及びホルダ２０は開口４０３ａを挿通して筐体１の更に奥方へ没入する。このときトレイカバー４４０は、凹所４０２内に収容され、リブ４４２の突端部が凹所４０２の奥壁４０３に当接する（ただし、当接しなくてもよい）。またこのとき、奥壁４０３のリブ４０４とトレイカバー４４０のリブ４４２とが隣り合い、奥壁４０３のリブ４０４はトレイカバー４４０のリブ４４２内に収まる。
【００９８】
以上の構成の実施の形態４に係るディスク装置は、ディスクトレイ１０を筐体１内へ収納した場合に、トレイカバー４４０のリブ４４２及び筐体１のリブ４０４が、奥壁４０３の開口４０３ａを閉塞する。この構成によりディスク装置は、ディスクトレイ１０を収納した状態において、筐体１内に塵埃などが侵入することを防止できる。
【００９９】
なお本実施の形態においては、筐体１の出入口２の奥方に凹所４０２を設け、凹所４０２の奥壁４０３に形成した開口４０３ａをリブ４４２及び４０４にて閉塞する構成としたが、これに限るものではない。例えば筐体１の出入口２を囲んでリブ４０４を設け、リブ４４２及び４０４にて出入口２を閉塞する構成としてもよい。また、リブ４４２はトレイカバー４４０のカバー板部４１の裏面縁部分の一周に亘って設ける構成としたが、これに限るものではない。例えばカバー板部４１の裏面の上辺側のみなど、リブ４４２はカバー板部４１の裏面縁部分の一部に設ける構成としてもよい。同様に、リブ４０４は奥壁４０３の開口４０３ａの周囲の一周に亘って設ける構成としたが、これに限るものではない。例えば開口４０３ａの上側のみなど、リブ４０４は開口４０３ａの周囲の一部に設ける構成としてもよい。
【０１００】
また、実施の形態４に係るディスク装置のその他の構成は、実施の形態１に係るディスク装置の構成と同様であるため、同様の箇所には同じ符号を付して詳細な説明を省略する。
【０１０１】
（実施の形態５）
図２７は、実施の形態５に係るディスク装置の外観を示す斜視図である。図２８及び図２９は、実施の形態５に係るディスク装置の構成を示す側断面図である。なお、図２７及び図２８にはディスクトレイ１０が筐体１から外部へ突出した状態を示し、図２９にはディスクトレイ１０が筐体１内に収納された状態を示してある。また図３０は、図２９の一部拡大図であり、図２９の破線円で囲んだ部分を拡大したものである。
【０１０２】
実施の形態５に係るディスク装置は、実施の形態１に係るディスク装置と同様に、筐体１の出入口２から出入するディスクトレイ１０を備えている。ディスクトレイ１０は、ディスク９９を載置するトレイ本体１１と、トレイ本体１１の突出端に固定されたホルダ２０と、ホルダ２０に揺動可能に保持されたトレイカバー５４０とを備えて構成されている。実施の形態５に係るディスク装置のトレイ本体１１及びホルダ２０の構成は、実施の形態１に係るディスク装置のトレイ本体１１及びホルダ２０と同じ構成である。
【０１０３】
また実施の形態５に係るディスク装置のホルダ２０によるトレイカバー５４０の保持構造は、実施の形態１に係るディスク装置のホルダ２０によるトレイカバー４０の保持構造と同じ構成である。即ち、図２７〜図２９にて図示は省略するが、トレイカバー５４０に突設されたバネ係合リブ５０を、ホルダ２０の前壁２１に形成された矩形開口２１ｂに挿通し、ホルダ２０のバネ固定部２９に固定された線バネ６０に係合させる構成である。
【０１０４】
実施の形態５に係るディスク装置のトレイカバー５４０は、カバー板部４１の後面（裏面）に、４つのリブ５４２が後方へ突出して設けられている。カバー板部４１の後面は左右方向に長い略長方形をなしており、４つのリブ５４２はこの後面の四辺に沿ってそれぞれ設けられている。ホルダ２０がトレイカバー５４０を保持した状態においては、ホルダ２０の前壁２１が４つのリブ５４２に囲まれる。
【０１０５】
各リブ５４２は、カバー板部４１の後面の各辺に沿って長い略長方形の板状をなしている。各リブ５４２は、カバー板部４１の裏面から、この裏面の外側へ向けた傾斜を設けて、後方へ突設されている。また各リブ５４２の突出端部には、曲面５４２ａが形成してある。トレイカバー５４０は、合成樹脂による一体成型品であり、各リブ５４２は可撓性を有している。このため各リブ５４２は、例えばカバー板部４１の裏面の外側へ向けて撓ませることが可能である。
【０１０６】
また実施の形態５に係るディスク装置の筐体１は、出入口２から奥方に、上下左右の周壁及び奥方の奥壁５０３に囲まれた凹所５０２が設けてある。奥壁５０３は、筐体１のパネル面１ａと略平行に設けられ、トレイカバー５４０の裏面に対向するように設けられている。また奥壁５０３には、左右に長い略長方形の開口５０３ａが形成されている。開口５０３ａは、ディスクトレイ１０のトレイ本体１１及びホルダ２０が挿通可能な大きさである。ディスクトレイ１０は、開口５０３ａを挿通して、出入口２から筐体１の内外へ出入りするように設けられている。なお凹所５０２内には、開口５０３ａ以外に、筐体１の内部へ通じる経路は設けられていない。
【０１０７】
ディスクトレイ１０が筐体１内へ収納された場合、トレイ本体１１及びホルダ２０は開口５０３ａを挿通して筐体１の更に奥方へ没入する。このときトレイカバー５４０は、凹所５０２内に収容され、リブ５４２の突端の曲面５４２ａが凹所５０２の奥壁５０３に当接する。またこのとき、実施の形態５に係るディスク装置は、トレイカバー５４０のリブ５４２が奥壁５０３に当接して撓む程度の力でディスクトレイ１０を奥方へ没入させる。トレイカバー５４０の各リブ５４２は、凹所５０２の奥壁５０３に当接した状態で、カバー板部４１の外側へ向けて撓む（図３０の矢印参照）。
【０１０８】
以上の構成の実施の形態５に係るディスク装置は、ディスクトレイ１０を筐体１内へ収納した場合に、トレイカバー５４０の４つのリブ５４２が筐体１の奥壁５０３に当接して撓み、開口５０３ａを閉塞する。この構成によりディスク装置は、ディスクトレイ１０を収納した状態において、筐体１内に塵埃などが侵入することを防止できる。
【０１０９】
なお本実施の形態においては、トレイカバー５４０のリブ５４２を当接させる当接面（奥壁５０３）を出入口２の奥方の筐体１内部に設ける構成としたが、これに限るものではない。例えば、出入口２の周辺部分にリブ５４２を当接させる当接面を設けてもよい。また、リブ５４２をトレイカバー５４０に４つ設ける構成としたが、これに限るものではない。トレイカバー５４０に３つ以下のリブ５４２を設ける構成としてもよい。トレイカバー５４０に１つのリブ５４２を設ける場合、カバー板部４１の裏面の上辺に沿ってリブ５４２を設けることが望ましい。また、各リブ５４２は、奥壁５０３に当接した場合に、カバー板部４１の裏面の外側へ向けて撓む構成としたが、内側へ向けて撓む構成であってもよい。また、リブ５４２は合成樹脂製とし、カバー板部４１と一体成型する構成としたが、これに限るものではない。リブ５４２は、カバー板部４１と別体であってよく、例えば金属製など可撓性を有する別の素材であってよい。また図２７〜図３０に示したリブ５４２の形状は一例であって、これに限るものではない。
【０１１０】
また、実施の形態５に係るディスク装置のその他の構成は、実施の形態１に係るディスク装置の構成と同様であるため、同様の箇所には同じ符号を付して詳細な説明を省略する。
【０１１１】
（変形例）
図３１及び図３２は、実施の形態５の変形例に係るリブ５９０の構成を示す側断面図である。なお、図３１にはリブ５９０が撓んでいない状態を示し、図３２にはリブ５９０が撓んだ状態を示してある。
【０１１２】
変形例のリブ５９０は、トレイカバー５４０のカバー板部４１の後面から後方へ突設されている。リブ５９０は、カバー板部４１の後面の一辺に沿って長い略長方形の板体を、カバー板部４１から後方の突出端に至るまでに、後面の一辺に平行な方向に複数個所で折り曲げた態様をなしている。
【０１１３】
詳しくは、リブ５９０は、第１部分５９１〜第５部分５９５を有している。第１部分５９１は、カバー板部４１の裏面から、この裏面の外側へ向けて所定の傾斜を設けて、後方へ突出した部分である。第２部分５９２は、第１部分５９１の端部から、カバー板部４１の裏面に略平行に、カバー板部４１の外側へ向けて屈曲した部分である。第３部分５９３は、第２部分５９２の端部から、略垂直に後方へ屈曲した部分である。第４部分５９４は、第３部分５９３の端部から、カバー板部４１の裏面の外側へ向けて所定の傾斜（第１部分５９１と略同じ傾斜）を設けて、屈曲した部分である。第５部分５９５は、第４部分５９４の端部に、側断面が略円形となるよう、突端部分に曲面５９５ａを設けた部分である。
【０１１４】
ディスクトレイ１０が筐体１内へ収納された場合、トレイ本体１１及びホルダ２０は開口５０３ａを挿通して筐体１の更に奥方へ没入する。このときトレイカバー５４０は、凹所５０２内に収容され、リブ５９０の第５部分５９５の曲面５９５ａが凹所５０２の奥壁５０３に当接する。奥壁５０３に当接したリブ５９０は、カバー板部４１の外側へ向けて撓む（図３２の矢印参照）。
【０１１５】
このように、カバー板部４１の裏面に対して略平行な第２部分５９２及び略垂直な第３部分５９３を設けることによって、リブ５９０は、図３１の矢印に示すように、前後方向及び上下方向に撓みやすくなる。
【符号の説明】
【０１１６】
１  筐体
１ａ  パネル面
２  出入口
１０  ディスクトレイ
１１  トレイ本体（トレイ部）
２０  ホルダ
２１  前壁（壁部）
２１ａ  円形開口
２１ｂ  矩形開口（開口部）
２１ｃ  舌片部（対向部）
２２  後壁
２３、２４  側壁
２５  天壁
２８  Ｕ字壁（当接部）
２８ａ  切欠
２９  バネ固定部（挿通部）
２９ａ  段部（係止部）
４０  トレイカバー
４１  カバー板部
４３  十字リブ
５０  バネ係合リブ（係合突部）
５１  ベース板部
５２  平行板部（平板部）
５３  係合爪部
５４  突出部
６０  線バネ（バネ部材）
６１  巻回部分
９９  ディスク
２４０  トレイカバー
２５０  バネ係合リブ（係合突部）
２５１ａ〜２５１ｃ  バネ係合溝（調整手段、係合部）
２８０  バネ係合リブ（係合突部）
２８１  ベース板部
２８２  凹所
２８３  移動体（調整手段、移動部）
２８４  ねじ（調整手段）
２８５  ねじ止め部
３２０  ホルダ
３２９ａ〜３２９ｃ  バネ固定部（調整手段）
３８０  ホルダ
３８１  ガイドリブ
３８２  移動体（調整手段、移動部）
３８３  バネ固定部
３８４  ねじ（調整手段）
３８５  付勢部材
３８６  ナット
４０２  凹所
４０３  奥壁（壁部）
４０３ａ  開口
４０４  リブ（筐体側リブ）
４４０  トレイカバー
４４２  リブ（トレイ側リブ）
５０２  凹所
５０３  奥壁（壁部）
５０３ａ  開口
５４０  トレイカバー
５４２  リブ
５４２ａ  曲面
５９０  リブ
【図１】
0005186037.tif 000002
【図２】
0005186037.tif 000003
【図３】
0005186037.tif 000004
【図４】
0005186037.tif 000005
【図５】
0005186037.tif 000006
【図６】
0005186037.tif 000007
【図７】
0005186037.tif 000008
【図８】
0005186037.tif 000009
【図９】
0005186037.tif 000010
【図１０】
0005186037.tif 000011
【図１１】
0005186037.tif 000012
【図１２】
0005186037.tif 000013
【図１３】
0005186037.tif 000014
【図１４】
0005186037.tif 000015
【図１５】
0005186037.tif 000016
【図１６】
0005186037.tif 000017
【図１７】
0005186037.tif 000018
【図１８】
0005186037.tif 000019
【図１９】
0005186037.tif 000020
【図２０】
0005186037.tif 000021
【図２１】
0005186037.tif 000022
【図２２】
0005186037.tif 000023
【図２３】
0005186037.tif 000024
【図２４】
0005186037.tif 000025
【図２５】
0005186037.tif 000026
【図２６】
0005186037.tif 000027
【図２７】
0005186037.tif 000028
【図２８】
0005186037.tif 000029
【図２９】
0005186037.tif 000030
【図３０】
0005186037.tif 000031
【図３１】
0005186037.tif 000032
【図３２】
0005186037.tif 000033